(57)【要約】【課題】  本発明ではプラズマディスプレイパネルの高精細化及び高効率化を図りながらも隔壁の機械的強度を損なわないことで工程での欠陥発生を抑制する。【解決手段】  本発明はプラズマディスプレイパネルの前面基板と背面基板との間に配置されるボックス構造の隔壁において、高効率化を目的として隔壁の幅を狭くしながらもセル単位で部分的に幅の広い隔壁を残すことで隔壁の機械的強度を保ち、重ね・排気工程でパネルに掛かる荷重による隔壁の割れ・欠けを抑制することを可能としている。【選択図】  図１
2010165489.tif 000002
【特許請求の範囲】
【請求項１】
繰り返し放電を行う走査電極群及び維持電極群を有する前面基板と、前記２つの電極群に交差する方向に延在するアドレス電極群を有する背面基板とを有し、該一対の前面基板及び背面基板の間に配置され発光セルを区画する縦隔壁と横隔壁を有するプラズマディスプレイパネルにおいて、
前記縦隔壁の幅は、前記発光セル単位で部分的に幅を広くしたことを特徴とするプラズマディスプレイパネル。
【請求項２】
請求項１に記載のプラズマディスプレイパネルにおいて、
前記縦隔壁において、幅が広い前記縦隔壁の数がそれ以外の幅が狭い縦隔壁の数より少ないことを特徴とするプラズマディスプレイパネル。
【請求項３】
請求項１に記載のプラズマディスプレイパネルにおいて、
前記縦隔壁のうち前記幅が広い縦隔壁に上下左右で隣接する前記縦隔壁は前記幅の狭い縦隔壁であることを特徴とするプラズマディスプレイパネル。
【請求項４】
請求項１に記載のプラズマディスプレイパネルにおいて、
前記縦隔壁のうち前記幅が広い縦隔壁がパネルの行方向に２つおきに配置されることを特徴とするプラズマディスプレイパネル。
【請求項５】
請求項１に記載のプラズマディスプレイパネルにおいて、
１つの幅の広い縦隔壁に対し上下の隣接する行に形成される幅の広い縦隔壁は、左右いずれかの方向に１列違いで形成されることを特徴とするプラズマディスプレイパネル。
【請求項６】
請求項１に記載のプラズマディスプレイパネルにおいて、
前記縦隔壁のうち前記幅の広い縦隔壁はその幅を左右に不均等に拡げていることを特徴とするプラズマディスプレイパネル。
【請求項７】
請求項１に記載のプラズマディスプレイパネルにおいて、
前記走査電極群又は維持電極群は透明電極を有し、前記幅の広い縦隔壁を有する発光セル内の透明電極の面積を、他の発光セル内の透明電極の面積よりも大きくすることを特徴としたプラズマディスプレイパネル。
【発明の詳細な説明】
【技術分野】
【０００１】
本発明はテレビジョンや表示装置に使用されるプラズマディスプレイパネルに関する。
【背景技術】
【０００２】
一般的なプラズマディスプレイパネルは前面基板と背面基板との間の空間内に隔壁によって区画された多数の放電セルが形成されている。放電セル内には赤・緑・青の各色蛍光体が塗布されており、この放電セル内で放電を起こし、紫外線を発生させることで、蛍光体を励起して発光させる。
【０００３】
現在、前記放電セルを区画する隔壁に関しては、表示面に対し格子状に配置されたボックス構造の隔壁が一般的に用いられている。（特許文献１）また、前記ボックス構造の隔壁を有するプラズマディスプレイパネルにおいて、高輝度・高効率化を目的として単位セルを構成する隔壁の一部に凹溝を設けて輝度と隔壁の強度を同時に確保しようとする構造も公知である。（特許文献２）
【特許文献１】特開平１１−２１３８９６号公報
【特許文献２】特開２００６−２２２０７５号公報
【発明の開示】
【発明が解決しようとする課題】
【０００４】
前記ボックス構造の隔壁を有するプラズマディスプレイパネルにおいては、高輝度・高効率を目的として隔壁の幅を狭くすることが要求されている。しかしながら隔壁の幅を狭くすることは隔壁自体の機械的強度を低下させる。このため、パネル製造における前面基板と背面基板の重ね・封止・排気工程で隔壁が圧力を受けることにより隔壁の割れ・欠けを生じ、発光不良を発生させる。
【０００５】
また、前記特許文献２に見られる単位セルを構成する隔壁の一部に凹溝を設ける構造では、高精細なパネルになるほど隔壁内の凹溝はより細かいものになり、隔壁形成の精度のばらつきによる単位セル当たりの開口率の違いにより、輝度ばらつきが生じる恐れがある。また、凹溝内に蛍光体を均等に塗布することも困難であり、セル単位で輝度のばらつきを生じる可能性もある。このため隔壁の形成工程はもちろん蛍光体の塗布工程もより高度な技術が必要とされる。  
【課題を解決するための手段】
【０００６】
上記課題に対して本発明ではプラズマディスプレイパネルの前面基板と背面基板との間に配置されるボックス構造の隔壁において、高効率化を目的として縦隔壁の幅を狭くしながらもセル単位で部分的に幅を広くした縦隔壁を残すことで隔壁の機械的強度を保ち、重ね・排気工程でパネルに掛かる荷重による隔壁の割れ・欠けを抑制することを可能としている。
【０００７】
さらに本発明が示唆する隔壁構造では隔壁に細かな凹凸を形成する必要は無く単位セルを構成する隔壁は全て平板状の構造をしており、隔壁の製造工程及び蛍光体の塗布工程を容易なものとすることが可能である。
【発明の効果】
【０００８】
本発明によるとプラズマディスプレイパネルの高精細化及び高効率化を図りながらも隔壁の機械的強度を損なわないことで工程での欠陥発生を抑制し、良質なプラズマディスプレイパネルを容易に且つ効率よく供給することが可能となる。
【発明を実施するための最良の形態】
【０００９】
以下本発明の実施形態を図１〜図９に基づき詳細に説明する。
【実施例１】
【００１０】
図２はプラズマディスプレイモジュールの一例の全体構成を概略的に示すブロック図である。プラズマディスプレイパネル５５は、繰り返し放電を行う維持電極２、走査電極３と、これら２つの電極群と交差する方向に延在するアドレス電極７より構成されている。また、それぞれの電極に電圧を印加するために、アドレス駆動回路１４、スキャンドライバ１５、Ｙ駆動回路１６、Ｘ駆動回路１７が接続されている。また、それらを制御するための制御回路１８を備えている。
【００１１】
例えば、ＴＶチューナやコンピュータ等の外部装置からＲ，Ｇ，Ｂの３色の輝度レベルを示す多値画像データであるフィールドデータ、および、各種の同期信号（クロック信号ＣＬＫ，水平同期信号Ｈsync，垂直同期信号Ｖsync）が入力される。そして、制御回路１８は、上記フィールドデータおよび各種の同期信号からそれぞれの駆動回路に適した制御信号を出力して所定の画像表示を行うようになっている。
【００１２】
プラズマディスプレイパネル５５は、サステイン放電（維持放電）を行う維持電極２（Ｘ１，Ｘ２，Ｘ３，…）と走査電極３（Ｙ１，Ｙ２，Ｙ３，…）とが組となり、複数配置されて表示ラインを構成する。維持電極２および走査電極３とこれらの電極に垂直に交差するアドレス電極７（Ａ１，Ａ２，Ａ３，…）とによりマトリクス状の表示セルが構成されている。
【００１３】
スキャンドライバ１５は、放電セルと選択するアドレス過程において、走査電極３に順次走査パルスを印加して走査電極３（表示ライン）を選択し、アドレス駆動回路１４に繋がれたアドレス電極７と各走査電極３との間で、各サブフィールドに対するセルの点灯／非点灯を選択するアドレス放電を生じさせる。また、Ｙ駆動回路１６およびＸ駆動回路１７は、サステイン放電を行なう表示過程において、アドレス放電により選択されたセルに対して各サブフィールドの輝度に応じた数のサステイン放電を生じさせる。
【００１４】
図３は図２のプラズマディスプレイ装置における階調駆動シーケンスの一例を示す図である。図３に示されるように、プラズマディスプレイ装置における階調駆動シーケンスは、１フィールド（フレーム）１９をそれぞれ所定の輝度を有する複数のサブフィールド２０（サブフレーム）ＳＦ１〜ＳＦｎで構成し、各サブフィールドの組み合わせにより所望の階調表示を行うようになっている。具体的に、複数のサブフィールドとしては、例えば、２の巾乗の輝度の比を有する８つのサブフィールドＳＦ１〜ＳＦ８（維持放電の回数の比が１：２：４：８：１６：３２：６４：１２８）により２５６階調の表示を行うようになっている。なお、サブフィールドの数および各サブフィールドの輝度の比は様々な組み合わせが可能である。
【００１５】
また、各サブフィールドは、それぞれ表示領域における全てのセルの壁電荷を均一にする初期化過程（リセット期間２１）、点灯セルを選択するアドレス過程（アドレス期間２２）および、選択されたセルを輝度（各サブフィールドの重み）に応じた回数だけ放電（点灯）させる表示過程（維持放電期間２３）で構成され、各サブフィールドの表示毎に輝度に応じてセルを点灯させ、例えば、８つのサブフィールド（ＳＦ１〜ＳＦ８）を表示することで１フィールドの表示を行うようになっている。尚、初期化過程（リセット期間２１）はその直前の表示過程（維持放電期間２３）で放電したセルのみ放電する選択的初期化過程の駆動方法もある。
【００１６】
次に図４に駆動波形の一例を示す。（ａ）〜（ｃ）はそれぞれリセット期間２１から維持放電期間２３に維持、走査、アドレスの各電極に印加する駆動波形を示している。
【００１７】
まず、（ａ）（ｂ）の維持，走査電極に全セルに壁電荷を形成するＹ書き込み鈍波３２とＸ電圧２５が印加される。続いてセル内に形成された壁電荷を必要量残して消去するＹ補償鈍波３３とＸ補償電圧２６が印加される。
【００１８】
次のアドレス期間２２において印加される電圧波形は行方向の表示するセルを決める放電を行なう走査パルス３４と本放電により、電荷を形成するためのＸ電圧２７である。その後の表示期間には第1のサステインパルス２８、３５、繰り返しサステインパルス２９、３６、３０、３１、３７、３８が印加される。
【００１９】
（ｃ）のアドレス電極７にアドレス期間において印加される駆動波形は列方向の表示するセルを決める放電を行なうアドレスパルス４７である。尚、アドレスパルスは行毎に印加される走査パルス３４に合わせ、走査電極３とアドレス電極７の交点に位置する表示させたいセルに放電を起こすタイミングで印加される。以上の駆動波形に加え、表示期間の最後に壁電荷消去のための駆動波形を加えることもある。
【００２０】
図１は本発明にかかわるプラズマディスプレイパネル構造の一例を示す分解斜視図である。前面基板１には透明電極５０と金属電極５１から形成される維持電極２と走査電極３が配置されている。維持電極２、走査電極３は平行に２本で組をなして多数配置されており、この間で繰り返し放電が行われる。この電極群は誘電体層４に覆われており、さらにその表面はＭｇＯ等の保護層５に覆われている。背面基板６には維持電極２、走査電極３と直交する方向にアドレス電極７が配置されており、さらに第２の誘電体層８に覆われている。アドレス電極７の両側には前記アドレス電極と同方向に延在する縦隔壁９が配置されており、さらに維持電極２と走査電極３と同方向に延在し、縦隔壁９と交差する横隔壁１０が配置されている。縦隔壁９と横隔壁１０を合わせて形成されるボックス構造の隔壁５２で放電セルを区分けしている。さらにアドレス電極７上の誘電体層８及び縦隔壁９、横隔壁１０の側面には、紫外線により励起されて赤（Ｒ），緑（Ｇ），青（Ｂ）の各色の可視光を発生する赤色蛍光体１１，緑色蛍光体１２，青色蛍光体１３が塗布されている。この前面基板１と背面基板６を保護層５と隔壁５２が接するように貼り合わせてＮｅ-Ｘｅなどの放電ガスを封入し、パネルを構成している。
【００２１】
縦隔壁９には幅の広い縦隔壁４８とこの幅の広い縦隔壁４８よりも幅の狭い縦隔壁４９の２種類が存在する。これにより、幅の異なる縦隔壁に挟まれた放電セルが存在することになる。幅の狭い縦隔壁４９でパネルの開口率を向上させ輝度・効率の向上を図る一方、縦隔壁９に部分的にセル単位で幅の広い縦隔壁４８を設けることで隔壁５２の機械的強度を損なわないようにしている。即ち、異なる幅の縦隔壁４８，４９で挟む放電セルを所定の規則性を持って配置することで前面基板１と背面基板６との間で生じる荷重に対し割れ・欠けの発生を防止し、且つ、輝度・効率の向上を図ることができるようにしてある。
【００２２】
本例によって示されるプラズマディスプレイパネルには、行方向の同一ラインに形成される縦隔壁９には幅の広い縦隔壁４８と幅の狭い縦隔壁４９が混在していることになる。隔壁５２の機械的強度を維持しつつ、輝度向上を目的としてパネルの開口率を上げる為には幅の広い縦隔壁の本数はパネル全面に形成される縦隔壁９の本数の半数以下でなくてはならない。つまり、パネル面内に形成される幅の広い縦隔壁４８の数は幅の狭い縦隔壁４９の数を下回るものでなくてはならない。図１によって示される８本の縦隔壁９のうち、幅の広い縦隔壁は３本形成されており、縦隔壁の数の半数以下の一例である。また、幅の広い縦隔壁４８の幅はパネル全面において統一されている必要性は無く、幅の狭い縦隔壁４９よりもその幅が広く形成されていれば、幅が広い縦隔壁４８の幅は複数種類であっても良い。
【００２３】
図５は本発明における隔壁のみを示した平面図である。横方向に延在する横隔壁１０と縦方向に延在する幅の広い縦隔壁４８と幅の狭い縦隔壁４９により、放電セルを区画している。本図において、幅の広い縦隔壁４８aに区画される放電セルは幅の広い縦隔壁４８aと幅の狭い縦隔壁４９aに挟まれている。
また、幅の広い縦隔壁４8aは１本に対して、幅の狭い縦隔壁４９aは１４本であり、幅の広い縦隔壁４８aは幅の狭い縦隔壁４９aよりも少ない。さらに、幅の広い縦隔壁４８aの上下左右に隣接する縦隔壁は幅の狭い縦隔壁４９aである。これにより幅の広い縦隔壁４８aが局所的に集中するのを防ぎ、輝度ムラの発生を防止する。
【００２４】
図６は本発明における隔壁のみを示した平面図の一例である。横方向に延在する横隔壁と縦方向に延在する幅の広い縦隔壁４８と幅の狭い縦隔壁４９により、放電セルを区画している。本図において、同じ行に存在する２本の幅の広い縦隔壁４８ｂと４８ｃの間には、２本の幅の狭い縦隔壁４９ｂと４９ｃが配置されている。
【００２５】
幅の広い縦隔壁４８ｂによって、その一部が形成される放電セルは、他の放電セルよりも放電空間が小さくなってしまうが、２本の幅の広い縦隔壁４８ｂと４８ｃの間に２本の幅の狭い縦隔壁４９ｂと４９ｃを配置することにより、同じ行に形成される赤色蛍光体１１，緑色蛍光体１２，青色蛍光体１３が塗布される放電空間をそれぞれの色毎で統一することが可能となり、色度ムラの発生を防ぐ。
【００２６】
図７は本発明における隔壁のみを示した平面図の一例である。一つの幅の広い縦隔壁４８ｄが配置される行の一つ下の行には、前記幅の広い縦隔壁４８ｄと１列違いで幅の広い縦隔壁４８ｅが形成される。さらに、前記幅の広い縦隔壁４８ｅの一つ下に隣接する行に関しても、幅の広い縦隔壁４８ｅと１列違いで幅の広い縦隔壁４８ｆが形成される。
【００２７】
幅の広い縦隔壁４８によってその一部を形成される放電空間は、他の放電空間より狭くなってしまう。幅の広い縦隔壁４８をパネル面内に規則的に配置することで、各色の放電空間を均等にすることが可能となり、特定の色の放電空間だけが狭くなってしまうことを防ぐ。その結果パネル全面における輝度ムラを防止することが可能となる。なお、図７では一つ下の行に形成される幅の広い縦隔壁は左側に１列違いで配置されてあるが、左側に限定されるものでは無く、１列違いであれば左右そのどちらに配置しても良い。
【実施例２】
【００２８】
図８は本発明における隔壁のみを示した平面図の一例である。パネル内に形成される幅の広い縦隔壁４８は左右に形成される放電空間に対し均等にその幅を広げる必要性はなく、図８に示されるように左右の放電空間に拡張する幅が不均等なものでも適用可能である。また、幅の広い縦隔壁は、必ずしもその幅を左右に広げる必要はなく、どちらか片側の放電空間に対してのみ隔壁の幅を拡張しても良い。
【００２９】
さらに左右に不均等に拡張した幅の広い縦隔壁４８は、１枚のパネル内で１種類である必要性は無く、異なる不均等さを持つ幅の広い縦隔壁４８gと４８ｈが混在しても良い。
【実施例３】
【００３０】
図９は本発明における電極と隔壁を示した図の一例である。繰り返し放電を行う維持電極２及び走査電極３は、金属電極５０と透明電極５１から形成される。また、図９において隔壁は点線で示してある。幅の広い縦隔壁４８によって形成される開口率の低下する発光セルにおいては、発光セル内の維持電極２および走査電極３を構成する金属電極５０と透明電極５１のうち透明電極５１の幅を拡張し、その面積を拡大することで１セルあたりの輝度を向上させ、サブピクセル毎の輝度の均一化を図ることも可能である。図９に示すように横隔壁１０側に透明電極５を拡張すると放電ギャップは他のサブピクセルと変わらず、放電開始電圧は変わらない。
【００３１】
また幅の広い縦隔壁４８によって放電空間が狭くなり開始電圧が高くなった場合には、放電ギャップが狭くなるように透明電極５の幅を拡張しても良い。
【００３２】
なお本発明において、前記隔壁５２の断面形状はテーパー状のものから垂直形状、あるいは隔壁側面の中央部が反り返っているような形状ものでも適用可能であり、図１に示すものに限定される必要はない。
【産業上の利用可能性】
【００３３】
本発明では、ボックス構造の隔壁を有するプラズマディスプレイパネルに対して適用可能であり、特にパネルの高精細化および高効率化を目的とした場合にその効果は高く、産業上の利用可能性は高い。
【図面の簡単な説明】
【００３４】
【図１】本発明におけるプラズマディスプレイパネルの分解斜視図。
【図２】プラズマディスプレイ装置の全体構成の一例を概略的に示すブロック図
【図３】プラズマディスプレイ装置における階調駆動シーケンスの一例を示す図
【図４】プラズマディスプレイ装置における駆動波形の一例を示す図
【図５】実施例１における局所的な輝度ムラ防止の一例を示す平面図
【図６】実施例１における局所的な色度ムラ防止の一例を示す平面図
【図７】実施例１におけるパネル全面の色度ムラ防止の一例を示す平面図
【図８】実施例２における隔壁を示した平面図
【図９】実施例３における電極と隔壁を示した平面図
【符号の説明】
【００３５】
1  前面基板
2  維持電極
3  走査電極
4  前面基板誘電体層
5  保護膜
6  背面基板 
7  アドレス電極 
8  背面基板誘電体層
9  列方向隔壁
10  行方向隔壁
11  蛍光体層（R）
12  蛍光体層（G）
13  蛍光体層（B） 
14  アドレス駆動回路
15  スキャンドライバ
16  Ｙ駆動回路
17  Ｘ駆動回路
18  制御回路
19  1フィールド
20  サブフィールド
21  リセット期間
22  アドレス期間
23  維持放電期間
25、27  X電圧
26  X補償電圧
28、35  第1のサステインパルス
29、36  電荷の極性合わせパルス
30、31、37、38  繰り返しサステインパルス
32  Ｙ書き込み鈍波
33  Ｙ補償鈍波
34  走査パルス
47  アドレスパルス
48、48ａ〜h  幅の広い縦隔壁
49、49ａ〜ｃ  幅の狭い縦隔壁
50  金属電極
51  透明電極
52  ボックス構造隔壁
55  プラズマディスプレイパネル
【図１】
2010165489.tif 000003
【図２】
2010165489.tif 000004
【図３】
2010165489.tif 000005
【図４】
2010165489.tif 000006
【図５】
2010165489.tif 000007
【図６】
2010165489.tif 000008
【図７】
2010165489.tif 000009
【図８】
2010165489.tif 000010
【図９】
2010165489.tif 000011